【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
光導電性半導体粒子と、
染料インジケータ粒子と
を有するマイクロカプセルを有する、マイクロカプセル化されたインクシステムであって、
該マイクロカプセルに電界を印加することにより、該光導電性半導体粒子が自由電荷を発生して前記染料インジケータに第１の色状態を生じさせる、インクシステム。
【請求項２】
マイクロカプセルを有する電気的にアドレシング可能なインクであって、該マイクロカプセルは、
第１の部分および第２の部分を有するヘアピン型分子であって、
該ヘアピン型分子の該第１の部分に付着した第１の電荷を有する第１の分子部分（ｍｏｉｅｔｙ）および、
該ヘアピン型分子の該第２の部分に付着した第２の電荷を有する第２の分子部分を有し、該第２の分子部分は該第１の分子部分と反応可能であり該第２の電荷は該第１の電荷と反対である、ヘアピン型分子を有し、
該第１の分子部分と該第２の分子部分との間の反応が、第１の色状態を生じさせる前記ヘアピン型分子の閉状態を規定し、
該第１の分子部分の該第２の分子部分からの分離が、第２の色状態を生じさせる前記ヘアピン型分子の開状態を規定する、インク。
【請求項３】
前記ヘアピン型分子は、電界の印加により、開状態と閉状態との間を遷移する、請求項２に記載のインク。
【請求項４】
前記ヘアピン型分子は、前記第１および第２の分子部分の振動モードと共鳴する周波数を有する、交流電界（ａｌｔｅｒｎａｔｉｎｇ  ｆｉｅｌｄ）の印加により、開状態と閉状態との間を遷移する、請求項３に記載のインク。
【請求項５】
マイクロカプセルを有する電子的にアドレシング可能なインクであって、該マイクロカプセルは、第１の電界の存在下において第１の非直線形状を有するポリマー分子であって、
第１の位置に付着した第１の分子部分と、
第２の位置に付着した第２の分子部分と
を有するポリマー分子を有し、
第２の電界の印加により、該ポリマー分子は直線形状をとり、該第１および第２の分子部分を分離することによって第１の色状態を生じさせる、インク。
【請求項６】
第３の電界の印加により、前記ポリマー分子が第２の非直線形状をとり、前記第１および第２の分子部分が反応することにより第２の色状態を生じさせる、請求項５に記載のインク。
【請求項７】
前記第１および第３の電界は同じ電界である、請求項６に記載のインク。
【請求項８】
マイクロカプセルを有する電気的にアドレシング可能な媒体であって、該マイクロカプセルは、電界が印加されていないときに安定である着色されていない染料溶媒複合体をさらに有し、電界の印加により、該染料溶媒複合体が染料複合体と溶媒複合体とに分離して第１の色状態を生じさせる、媒体。
【請求項９】
ディスプレイを製造するための方法であって、
半導体材料を結合剤中に分散させて電気的に活性なインクを形成する工程と、
該電気的に活性なインクを流体送達システムに供給する工程と、
該電気的に活性なインクを、該流体送達システムを介して基材に印刷する工程と
を包含する、方法。
【請求項１０】
前記電気的に活性なインクを印刷する前記工程は、
該電気的に活性なインクをパターニングされた開口マスクを介して前記基材上に押しつけることによりパターンを形成する工程と、
該電気的に活性なインクのパターンを硬化することにより、半導体特性を有する構造を作成する工程と
をさらに包含する、請求項９に記載の方法。
【請求項１１】
前記基材上に電子要素を形成する工程をさらに包含する、請求項９に記載の方法。
【請求項１２】
前記基材上に電子要素を形成する前記工程はさらに、論理構造およびスイッチ構造からなる群より選択される要素を形成する工程をさらに包含する、請求項１１に記載の方法。
【請求項１３】
第１の電極を前記基材上に印刷する工程と、
該第１の電極上にディスプレイ要素を印刷する工程と、
上部透明電極を該ディスプレイ要素上に印刷する工程と
をさらに包含する、請求項９に記載の方法。
【請求項１４】
電気的にアドレシング可能なコントラストメディアを基材上に堆積するための方法であって、
堆積されるべき電気的にアドレシング可能なコントラストメディアを含むマイクロカプセルを該基材に隣接して位置させる工程と、
該マイクロカプセルに入射して該マイクロカプセルがバーストし、前記電気的に活性なコントラストメディアを該基材の表面上に堆積させるように光源を方向付ける工程と
を包含する、方法。
【請求項１５】
ディスプレイを印刷するための方法であって、
電気的に活性な材料を結合剤中に分散させて電気的に活性なインクを形成する工程と、
該電気的に活性なインクを基材上に堆積させる第１の可動ジェットを供給する工程と、
該基材上の該電気的に活性なインクを還元（ｒｅｄｕｃｅ）させることにより、該基材上に痕跡を形成する工程と
を包含する、方法。
【請求項１６】
前記第１のジェット中の前記電気的に活性なインクを、光導電性材料、導電性材料、半導体材料、および金属材料からなる群より選択する工程をさらに包含する、請求項１５に記載の方法。
【請求項１７】
複数の個別のセルを含むマイクロカプセル化されたコントラストメディアシステムであって、該複数の個別のセルの少なくとも１つは、電気的にアドレス指定可能なコントラストメディアによって満たされ、該コントラストメディアは、該コントラストメディアの界面に固体相を形成するように構成されているポリマー成分または相互接続因子を含む、マイクロカプセル化されたコントラストメディアシステム。
【請求項１８】
前記コントラストメディアは、少なくとも１種類の電気泳動粒子をさらに含む、請求項１７に記載のマイクロカプセル化されたコントラストメディシステム。
【請求項１９】
前記コントラストメディアは、第１の光学特性を有する第１の種類の電気泳動粒子と、第２の光学特性を有する第２の種類の電気泳動粒子とをさらに含む、請求項１７に記載のマイクロカプセル化されたコントラストメディシステム。
【請求項２０】
前記第１の光学特性は、前記第２の光学特性と異なる、請求項１９に記載のマイクロカプセル化されたコントラストメディシステム。
【請求項２１】
前記第１の光学特性は、黒色である、請求項１９に記載のマイクロカプセル化されたコントラストメディシステム。
【請求項２２】
前記第１および第２の種類は、逆に帯電する、請求項１９に記載のマイクロカプセル化されたコントラストメディシステム。
【請求項２３】
前記コントラストメディアは、誘電性溶媒内に分散される、請求項１７に記載のマイクロカプセル化されたコントラストメディシステム。
【請求項２４】
前記誘電性溶媒は、前記コントラストメディアの双安定生を促進するように構成されている、請求項２３に記載のマイクロカプセル化されたコントラストメディシステム。
【請求項２５】
前記誘電性溶媒は、ゲルまたはポリマー材料を含む、請求項２４に記載のマイクロカプセル化されたコントラストメディシステム。
【請求項２６】
複数の個別のセルを含むマイクロカプセル化されたコントラストメディアシステムであって、該複数の個別のセルの少なくとも１つは、誘電性溶媒内に分散した電気的にアドレス指定可能なコントラストメディアによって満たされ、該誘電性溶媒は、該コントラストメディアの双安定性を促進するように構成されている、マイクロカプセル化されたコントラストメディアシステム。
【請求項２７】
前記コントラストメディアは、少なくとも１種類の電気泳動粒子をさらに含む、請求項２６に記載のマイクロカプセル化されたコントラストメディシステム。
【請求項２８】
複数の個別のセルを含む電気泳動ディスプレイであって、該複数の個別のセルの少なくとも１つは、電気的にアドレス指定可能なコントラストメディアによって満たされ、該コントラストメディアは、該コントラストメディアの界面に固体相を形成するように構成されているポリマー成分または相互接続因子を含む、電気泳動ディスプレイ。
【請求項２９】
前記コントラストメディアは、少なくとも１種類の電気泳動粒子をさらに含む、請求項２８に記載の電気泳動ディスプレイ。
【請求項３０】
前記コントラストメディアは、第１の光学特性を有する第１の種類の電気泳動粒子と、第２の光学特性を有する第２の種類の電気泳動粒子とをさらに含む、請求項２８に記載の電気泳動ディスプレイ。
【請求項３１】
前記第１の光学特性は、前記第２の光学特性と異なる、請求項３０に記載の電気泳動ディスプレイ。
【請求項３２】
前記第１および第２の種類は、逆に帯電する、請求項３０に記載の電気泳動ディスプレイ。
【請求項３３】
前記コントラストメディアは、誘電性溶媒内に分散される、請求項２８に記載の電気泳動ディスプレイ。
【請求項３４】
前記誘電性溶媒は、前記コントラストメディアの双安定生を促進するように構成されている、請求項３３に記載の電気泳動ディスプレイ。
【請求項３５】
前記複数の個別のセルの上面に配置される電極層をさらに含む、請求項２８に記載の電気泳動ディスプレイ。
【請求項３６】
複数の個別のセルを含む電気泳動ディスプレイであって、該複数の個別のセルの少なくとも１つは、誘電性溶媒内に分散した電気的にアドレス指定可能なコントラストメディアによって満たされ、該誘電性溶媒は、該コントラストメディアの双安定性を促進するように構成されている、電気泳動ディスプレイ。
【請求項３７】
前記コントラストメディアは、少なくとも１種類の電気泳動粒子をさらに含む、請求項３６に記載の電気泳動ディスプレイ。
【請求項３８】
前記複数の個別のセルの上面に配置される電極層をさらに含む、請求項３６に記載の電気泳動ディスプレイ。
【請求項３９】
電気移動ディスプレイを製造する方法であって、該方法は、
（ａ）放射線硬化可能な基板を提供する工程と、
（ｂ）該放射線硬化可能な基板を画像状に放射線源に曝すことにより、該放射線硬化可能な基板に複数の個別のセルを形成する工程と、
（ｃ）前記複数の個別のセルの少なくとも１つを電気泳動コントラストメディアで満たす工程であって、該コントラストメディアは、ポリマー成分または相互接続因子を含む、工程と
を包含する、方法。
【請求項４０】
前記放射線硬化可能な基板は、可撓性を有する、請求項３９に記載の方法。
【請求項４１】
前記放射線硬化可能な基板は、フォトマスクを介して放射線源に曝される、請求項３９に記載の方法。
【請求項４２】
前記複数の個別のセルの前記少なくとも１つを封止する前記コントラストメディアの界面に固体層を形成する工程をさらに包含する、請求項３９に記載の方法。
【請求項４３】
前記複数の個別のセルの上面に透明な電極層を付加する工程をさらに包含する、請求項３９に記載の方法。
【請求項４４】
前記放射線源は、紫外線光源または熱源を含む、請求項３９に記載の方法。
【請求項４５】
前記コントラストメディア相は、少なくとも１種類の電気泳動粒子を含む、請求項３９に記載の方法。
【請求項４６】
前記コントラストメディアは、誘電性溶媒内に分散される、請求項３９に記載の方法。
【請求項４７】
前記コントラストメディアは、第１の光学特性を有する第１の種類の電気泳動粒子と、第２の光学特性を有する第２の種類の電気泳動粒子とを含む、請求項３９に記載の方法。
【請求項４８】
前記第１の光学特性は、前記第２の光学特性と異なる、請求項４７に記載の方法。
【請求項４９】
前記第１および第２の種類は、逆に帯電する、請求項４７に記載の方法。
【請求項５０】
前記誘電性溶媒は、前記コントラストメディアの双安定性を促進するように構成されている、請求項４７に記載の方法。
【請求項５１】
電気泳動ディスプレイを製造する方法であって、該方法は、
（ａ）液体サスペンションを提供する工程であって、該液体サスペンションは、第１の光学特性を有する第１の種類の電気泳動粒子と固体層を形成する手段とを含む、工程と、
（ｂ）基板を提供する工程と、
（ｃ）該液体サスペンションを該基板に分配する工程と、
（ｄ）該液体サスペンションを刺激に曝すことによって固体層を該基板上に形成する工程であって、該固体層は、細胞構造の少なくとも一部分を含む、工程と
を包含する、方法。
【請求項５２】
前記基板は、可撓性を有する、請求項５１に記載の方法。
【請求項５３】
前記刺激は、放射線源を含む、請求項５１に記載の方法。
【請求項５４】
前記放射線源は、紫外線光源または熱源を含む、請求項５３に記載の方法。
【請求項５５】
前記液体サスペンションは、フォトマスクを介して前記放射線源に曝される、請求項５３に記載の方法。
【請求項５６】
前記刺激は、ポリマー成分または相互接続因子の付加を含む、請求項５１に記載の方法。
【請求項５７】
前記固体層を形成する手段は、ポリマー成分、相互接続因子、熱硬化性ポリマー、または光硬化性ポリマーを含む、請求項５１に記載の方法。
【請求項５８】
前記液体サスペンションは、開口部を介して前記基板上に分配される、請求項５１に記載の方法。
【請求項５９】
前記液体サスペンションは、パターン状に分配される、請求項５８に記載の方法。
【請求項６０】
前記液体サスペンションは、第２の光学特性を有する第２の種類の電気泳動粒子をさらに含む、請求項５１に記載の方法。
【請求項６１】
前記第１の光学特性は、前記第２の光学特性と異なる、請求項６０に記載の方法。
【請求項６２】
前記第１および第２の種類は、逆に帯電する、請求項６０に記載の方法。
【請求項６３】
前記液体サスペンションを分配する工程は、印刷する工程を含む、請求項５１に記載の方法。
【請求項６４】
前記固体層は、前記細胞構造の少なくとも一部分を完全に包む、請求項５１に記載の方法。
【請求項６５】
前記細胞構造の前記少なくとも一部分を封止する前記液体サスペンションの界面に固体層を形成する工程をさらに包含する、請求項５１に記載の方法。
【請求項６６】
前記液体サスペンションは、誘電性溶媒をさらに含む、請求項５１に記載の方法。
【請求項６７】
前記誘電性溶媒は、前記液体サスペンションの双安定性を促進するように構成されている、請求項６６に記載の方法。